(57)【要約】【課題】ユーザが画像データを受付装置で受け付け出力処理を行う場合に、他のユーザが撮影した画像データを活用できるようにする。【解決手段】メディアＭから取り込んだ画像データをプリントペーパにプリントする出力処理、あるいは、ＣＤ−Ｒ等のメディアに記録する出力処理を行う受付装置を構成する。この受付装置は、ユーザが出力処理を行った画像データのうち、ユーザが許したものを画像データ登録処理部２６で登録し、他のユーザの出力処理を行う際に、登録されている登録画像データを含む画像データの出力を行えるように構成した。【選択図】図２
2009130594.tif 000002
【特許請求の範囲】
【請求項１】
取り込んだ画像データをディスプレイに表示し、この表示に基づいてユーザが指定した画像データを出力部に出力する受付装置であって、
以前に使用した前ユーザが入力した画像データのうち、前記前ユーザが指定した画像データが登録画像データとして登録される画像データ登録処理部と、
現ユーザが入力した入力画像データと、前記登録画像データとを取得する画像データ取得処理部と、
前記画像データ取得処理部で取得した前記入力画像データと前記登録画像データとを前記ディスプレイに表示し、前記現ユーザの操作に基づいて前記出力部に出力するために必要なオーダ情報を取得するオーダ情報取得処理部とを備え、
前記画像データ登録処理部は、前記入力画像データのうち、前記現ユーザが指定したものの登録を行うことが可能な受付装置。
【請求項２】
前記画像データ取得処理部が既に登録されている前記登録画像データを取得する際には、画像データのファイルに保存されている撮影日と同じ撮影日の登録画像データを取得対象とする請求項１記載の受付装置。
【請求項３】
前記画像データ登録処理部が、登録されてから設定期間が経過した登録画像データを消去する請求項１又は２のいずれか１項に記載の受付装置。
【請求項４】
前記出力部が、画像データをプリント媒体にプリントするプリント部で構成されている、又は、画像データをメディアに記録するメディアドライブで構成されている請求項１〜３のいずれか１項に記載の受付装置。
【発明の詳細な説明】
【技術分野】
【０００１】
本発明は、取り込んだ画像データをディスプレイに表示し、この表示に基づいてユーザが指定した画像データを出力部に出力する受付装置に関する。
【背景技術】
【０００２】
上記のように構成された受付装置として、以下の処理を行うものが存在する。つまり、画像情報（本願発明の画像データ）を保存した記憶媒体から画像情報をメディアドライブで取り込み、取り込んだ画像情報をサムネイル化してディスプレイに一覧化して表示する。表示された画像情報のプリント枚数等の指定をディスプレイのタッチパネルを介して行い、オーダ情報として取得し、プリントを実行することや、ＣＤ−Ｒ等のメディアに画像情報の保存を実行する（例えば、特許文献１参照）。
【０００３】
尚、この種の受付装置として、昇華型やインクジェット型等のプリント装置と一体化することにより、受け付けた画像データを短時間のうちにプリント出力できるものも存在する。
【０００４】
【特許文献１】特開２００３‐７５９３０号公報  （段落番号〔００１６〕〜〔００５２〕、図１〜図６）
【発明の開示】
【発明が解決しようとする課題】
【０００５】
特許文献１に記載された受付装置は、ＤＰ店やコンビニエンスストア等に多く設置されるものである。この受付装置ではユーザ自身が出力対象を指定する操作を行うため、画像データを受け付ける担当の人員の手間を軽減できる有効な面を有している。
【０００６】
例えば、比較的狭い区域内で催された小学校の運動会等や、祭をデジタルカメラで撮影した画像データの出力を考えた場合、運動会や祭が催された直後には、その区域近くに設置されている受付装置での処理数が増大する。
【０００７】
受付装置で処理を行う場合、出力可能な画像データは、当然のことながら、この受付装置で取り込んだ画像データに限られる。しかしながら、例えば、小学校の運動会において撮影された画像データは、アルバムを作成するようにプリントすることもあり、特定の対象を様々な方向から撮影した画像データや、校舎や校門等小学校に関連する画像データをプリント対象に含めたいと考えるユーザも多く存在する。
【０００８】
校舎や校門等を撮影することは、運動会において不可能ではないが、煩わしい面もある。また、限られた時間内に特定の対象を様々な方向から撮影することは不可能に近いものである。これに対して、運動会のようなイベントでは多くの参加者が、デジタルカメラによって様々な対象を様々な方向から様々なタイミングで撮影しており、このように、当人以外の者が撮影した画像データを有効に活用したい面もあった。
【０００９】
本発明の目的は、ユーザが画像データの処理を受付装置で行う場合に、他のユーザが撮影した画像データを活用できる受付装置を合理的に構成する点にある。
【課題を解決するための手段】
【００１０】
本発明の特徴は、取り込んだ画像データをディスプレイに表示し、この表示に基づいてユーザが指定した画像データを出力部に出力する受付装置であって、
以前に使用した前ユーザが入力した画像データのうち、前記前ユーザが指定した画像データが登録画像データとして登録される画像データ登録処理部と、
現ユーザが入力した入力画像データと、前記登録画像データとを取得する画像データ取得処理部と、
前記画像データ取得処理部で取得した前記入力画像データと前記登録画像データとを前記ディスプレイに表示し、前記現ユーザの操作に基づいて前記出力部に出力するために必要なオーダ情報を取得するオーダ情報取得処理部とを備え、
前記画像データ登録処理部は、前記入力画像データのうち、前記現ユーザが指定したものの登録を行うことが可能な点にある。
【００１１】
この構成によると、以前に受付装置を使用した前ユーザが受付装置で取り込んだ画像データを画像データ登録処理部で登録しておくことにより、これ以降、受付装置で画像データを取り込んだ現ユーザは、現ユーザ自身が取り込んだ画像データと、既に登録されている登録画像データとをディスプレイに表示し、この表示に基づいて出力部に出力するために必要なオーダ情報を取得して出力することができる。その結果、ユーザが画像データの処理を受付装置で行う場合に、前ユーザが撮影した登録画像データを活用できる受付装置が構成された。特に、現ユーザ自身の画像データと前ユーザが登録した登録画像データとの出力が可能になるため、例えば、プリント枚数を増大する等、売り上げの増大を図ることも可能となる。また、現ユーザが任意に指定する画像データを画像データ登録処理部が登録画像データとして登録するので、登録画像データとして現ユーザが望まないものを除外することも可能となる。
【００１２】
本発明は、前記画像データ取得処理部が既に登録されている前記登録画像データを取得する際には、画像データのファイルに保存されている撮影日と同じ撮影日の登録画像データを取得対象としても良い。これによると、例えば、運動会のようにイベントが開催された日に撮影された登録画像データを取得対象とするので登録画像データを取得するにも選択の手間を省くことが可能となる。
【００１３】
本発明は、前記画像データ登録処理部が、登録されてから設定期間が経過した登録画像データを消去しても良い。これによると、設定期間内においてのみ、画像データ登録部に登録された画像データの出力が可能になり、登録された画像データが出力され続ける不都合を阻止できる。
【００１４】
本発明は、前記出力部が、画像データをプリント媒体にプリントするプリント部で構成されている、又は、画像データをメディアに記録する記録部で構成しても良い。これによると、出力対象とした画像データのプリント、メディアへの記録が実現する。
【発明を実施するための最良の形態】
【００１５】
以下、本発明の実施形態を図面に基づいて説明する。
〔システム構成〕
図１に示すように、デジタルカメラ等で撮影された画像データを取り込む受付装置Ａと、プリント装置Ｂとを連結してプリントシステムが構成されている。このプリントシステムは、受付装置Ａで取り込んだ画像データをプリント装置Ｂ（出力部の一例）に送り、プリントペーパＰにプリントする出力処理を行えると共に、この受付装置ＡにおいてＣＤ−Ｒ等のメディアに記録する出力処理を行えるように構成されている。
【００１６】
受付装置Ａは、筐体１の前面にはコンパクトフラッシュ（商標）や、ＳＤカード（商標）や、メモリースティック（商標）等の半導体型メディアＭｓから画像データを取り込む複数種の半導体ドライブ２と、ＭＯやＣＤ−Ｒ等のディスク型メディアＭｄからの画像データを取り込むディスクドライブ３と、レシートｒｅを排出するレシートプリンタ４とを備えている。筐体１の上面にはカメラ付き携帯電話機に接続して画像データの取り込みを実現するコネクタ５を備えている。筐体１の上部には、その表示面にタッチパネル６を形成した液晶型のディスプレイ７を備えている。更に、筐体１の内部には画像処理を行う画像処理ユニットＣを備えている。
【００１７】
本発明では、半導体型メディアＭｓとディスク型メディアＭｄとを含む記憶媒体をメディアＭと総称する。また、前記半導体ドライブ２とディスクドライブ３とコネクタ５とが本発明の画像データ取得部として構成され、前記半導体ドライブ２とディスクドライブ３とが本発明のメディアドライブとして構成される。
【００１８】
本発明では、画像データ取得部として、写真フィルムのコマ画像をデジタル型の画像データとして取り込むフィルムスキャナを備えて良く、また、画像データ取得部として、デジタルムービーカメラから動画の一部を直接取り込むコネクタ類やケーブルを備えても良い。更に、画像データ取得部としてプリント物から画像データを取り込むフラットベッドスキャナを備えても良い。
【００１９】
この受付装置Ａでは、取り込んだ画像データをＣＤ−ＲやＤＶＤ−Ｒ等のディスク型メディアＭｄに記録する出力処理も可能である。このように出力処理されたディスク型メディアＭｄは、コンピュータ等において画像データの再生可能となる電子アルバムの機能を有する。尚、電子アルバムを作成するディスクドライブ３が画像データの出力部として機能する。ちなみに、この電子アルバムには画像データを再生するビューワが画像データとともに記録される。
【００２０】
前記プリント装置Ｂは、縦長姿勢のケース１０を備えている。このケース１０に対して硬貨投入孔１１Ａからの硬貨を受入れ、下部位置の釣り銭排出口１１Ｂから釣り銭を排出するコインメック１１と、紙幣挿入孔１２Ａからの紙幣を受入れるビルバリ１２とで成る料金精算部ユニットを内蔵している。更に、画像がプリントされたプリントペーパＰをペーパ排出口１３Ａから排出するプリントユニット１３を内蔵している。
【００２１】
前記プリントユニット１３は、プリント媒体として複数サイズのプリントペーパＰを収納しており、夫々のプリントペーパＰに対して画像データをプリントする昇華型のプリントヘッドを有した昇華型のプリントヘッド（図示せず）を備えている。尚、このプリントユニット１３は昇華型に限らずインクジェット型のものであっても良い。
【００２２】
〔受付け処理の概要〕
このプリントシステムは、例えば、デジタルカメラで撮影に使用された半導体型メディアＭｓからプリント処理を行う場合には、半導体型メディアＭｓを半導体ドライブ２にセットし、ディスプレイ７に表示されるガイダンスに従ってタッチパネル６に指等を接触させる操作をユーザが行うことになる。この操作を行うことにより、受付装置Ａで画像データが取り込まれ、この画像データの出力形態の選択（プリント処理と電子アルバム作成処理との少なくとも一方の選択）が可能となり、オーダ情報を取得できる。
【００２３】
プリント処理を行う場合には、ディスプレイ７にオーダ画面４０（図５を参照）が表示され、このオーダ画面４０に前記半導体型メディアＭｓから取り込んだ画像データが一覧化して表示される。このオーダ画面４０において、出力対象とする画像データ（後述する登録画像データを含む）の指定を行い、プリント枚数の指定等を行い、これらに基づいてオーダ情報を取得できる。
【００２４】
特に、このプリントシステムは、出力処理を行ったユーザが画像データを登録しておくことにより、この後に他のユーザがプリント等の出力処理を行う際に、既に登録されている登録画像データを出力対象として使用できる点に特徴を有する。更に、画像データの登録を行ったユーザが本発明の前ユーザに対応し、この後、受付装置Ａを操作することにより既に登録されている登録画像データを出力対象として使用するユーザが本発明の現ユーザに対応する。
【００２５】
この登録画像データとは、例えば、小学校の運動会等のイベントを撮影した画像データのうち、イベントを撮影したユーザが任意に指定したものである。画像データを登録画像データとして登録する場合には、後述するように、受付装置Ａにおいて取り込んだ画像データの中から、登録するものを選択できるため、プライベートな画像データを除外できるものにしている。
【００２６】
〔制御系〕
図２に示すように、前記受付装置Ａの画像処理ユニットＣは、情報処理を行うマイクロプロセッサ（ＣＰＵ）と入出力インタフェース２１とを備えている。入出力インタフェース２１に対して前記半導体ドライブ２、ディスクドライブ３、コネクタ５、タッチパネル６、ディスプレイ７、レシートプリンタ４、ハードディスクＨＤが接続する。また、マイクロプロセッサのデータバスに対して半導体メモリ２２、オペレーティングシステム２３、画像データ取得処理部２４、オーダ情報取得処理部２５、画像データ登録処理部２６、補正・編集処理部２７、出力処理部２８、課金処理部２９夫々が接続する。更に、入出力インタフェース２１に対して通信インタフェースＤが接続している。
【００２７】
前記オペレーティングシステム２３は、半導体メモリ２２を管理すると共に、ソフトウエアを半導体メモリ２２の作業エリア等に展開して、そのソフトウエアの実行を実現する。また、このオペレーティングシステム２３は、前記タッチパネル６の操作情報を取得して、実行中の処理に与えるインタフェースとして機能する。
【００２８】
前記画像データ取得処理部２４は、前記半導体ドライブ２、ディスクドライブ３、コネクタ５を介して画像データを取り込む処理を行う。前記オーダ情報取得処理部２５は前記ディスプレイ７にオーダ画面４０等を表示し、これらの画面に対するユーザの操作に基づいて出力対象となる画像データを特定し、プリントサイズとプリント枚数等のオーダ情報を取得する。
【００２９】
前記画像データ登録処理部２６は、画像データ取得処理部２４で取り込んだ画像データのうち、ユーザが任意に指定したものを登録画像データとしてハードディスクＨＤに登録する処理を行う。更に、この画像データ登録処理部２６は画像データの登録を行った後、設定期間が経過したものの削除を行う。
【００３０】
前記補正・編集処理部２７は、任意に指定された画像データの色補正、濃度補正、コントラスト補正等の補正処理を行う、あるいは、登録画像データとの合成等の編集処理を行う。前記出力処理部２８は、画像データのプリント処理あるいは電子アルバムを作成する処理を行わせる。
【００３１】
前記課金処理部２９はプリント処理あるいは電子アルバムを作成する処理に必要な料金を算出し、料金が支払われた場合には、前記レシートプリンタ４を制御してレシートｒｅをプリントして排出する。
【００３２】
これら画像データ取得処理部２４、オーダ情報取得処理部２５、画像データ登録処理部２６、補正・編集処理部２７、出力処理部２８、課金処理部２９夫々はソフトウエアで構成されるものを想定しているが、ソフトウエアとハードウエアとの組み合わせや、ハードウエアだけで構成されるものでも良い。
【００３３】
前記プリント装置Ｂは、情報処理を行うマイクロプロセッサ（ＣＰＵ）と、入出力インタフェース３１とを備えると共に、この入出力インタフェース３１に対して、前記コインメック１１、前記ビルバリ１２、前記プリントユニット１３、ハードディスクＨＤが接続する。また、マイクロプロセッサのデータバスに対して半導体メモリ３２、オペレーティングシステム３３、プリント処理部３４、料金精算部３５が接続し、更に、入出力インタフェース３１に対して通信インタフェースＤが接続している。
【００３４】
このプリントシステムでは、前記通信インタフェースＤ同士が通信ケーブル３７で接続されることにより、受付装置Ａで受け付けた画像データをプリント装置Ｂでのプリント処理を実現しており、また、このプリント処理の料金をプリント装置Ｂのケース１０において受領する処理を実現している。
【００３５】
前記オペレーティングシステム３３は、半導体メモリ３２を管理すると共に、ソフトウエアを半導体メモリ３２の作業エリア等に展開して、そのソフトウエアの実行を実現する。前記プリント処理部３４は、前記受付装置Ａから伝送される画像データをオーダ情報に基づいてプリントするようにプリントユニット１３を制御する。前記料金精算部３５は、前記受付装置Ａから伝送される課金情報に基づいて前記コインメック１１やビルバリ１２を制御して料金を取得する処理を行う。
【００３６】
これらプリント処理部３４、料金精算部３５夫々はソフトウエアで構成されるものを想定しているが、ソフトウエアとハードウエアとの組み合わせや、ハードウエアだけで構成するものであっても良い。
【００３７】
〔オーダシーケンス〕
このプリントシステムでの出力処理ルーチンの概要を図３のフローチャートのように示すことが可能である。つまり、前述したように半導体ドライブ２、ディスクドライブ３を介してメディアＭから画像データを取り込む（取得する）、あるいは、コネクタ５等を介して携帯電話機から画像データを取り込む（取得する・＃１０１ステップ）。
【００３８】
このように画像データを取り込む際には、画像データ取得処理部２４がディスプレイ７に画像データを取り込むために必要な操作手順を表示し、この操作手順に従ってユーザが操作を行うことにより、画像データ取得処理部２４が画像データを取り込み（取得し）、ハードディスクＨＤに保存される。
【００３９】
次に、画像データを取り込んだ後には、出力形態の指定を求める画面（図示せず）をディスプレイ７に表示し、この画面に対するユーザの操作から出力形態（プリント処理と電子アルバム作成処理との少なくとも一方の選択）を取得し、次に、図５に示すオーダ画面４０が前記ディスプレイ７に表示されると共に、取り込んだ画像データをオーダ画面４０に反映させる形態で表示し、オーダ情報を取得する（＃１０２〜＃１０４ステップ）。
【００４０】
出力形態を取得する処理と、オーダ画面４０を表示する処理と、オーダ画面を介してオーダ情報を取得する処理は、オーダ情報取得処理部２５が実現する。
【００４１】
オーダ画面４０には、１ページに８つの表示部４１が形成され、夫々の表示部４１に対し、前記画像データの画素数を低減したサムネイル画像が表示される。また、表示部４１の下側にはプリント枚数表示部４２と、プリント枚数を１枚増加させる＋ボタン４３と、プリント枚数を１枚減少させる−ボタン４４とが配置されると共に、このオーダ画面４０の下部にはプリント枚数の全体を増減する枚数増減ボタン４５と、プリントサイズの情報とプリント枚数の合計とプリント処理に要する合計金額との情報を表示する情報表示部ＤＥとが配置されている。
【００４２】
更に、このオーダ画面４０の下部の右端には次へボタン４６と戻るボタン４７とが配置され、この左端には中止ボタン４８が形成されている。特に、このオーダ画面４０の下部位置には、登録画像取得ボタンＸと、補正・編集ボタンＹとが配置されている。ちなみに、次へボタン４６を操作することにより、オーダ画面の次のページが表示され、オーダ画面４０の最終ページの下部の右端には、図６に示す如く、前記次へボタンに４６に代えてＯＫボタン４９が表示され、このＯＫボタン４９を操作することにより、オーダ情報取得処理部２５によるオーダ情報の取得が終了する。
【００４３】
このようにオーダ画面４０が構成されているので、ユーザがディスプレイ７に指を接触させる等の操作で、プリント対象とする画像データを設定し（プリント枚数を１以上に設定し）、ページ単位でプリント枚数を設定することによってオーダ情報の入力が可能となる。尚、プリントサイズは、このオーダ画面４０が表示される以前にサイズ設定画面において設定するものを想定している（このプリント枚数設定画面は図示せず）。
【００４４】
登録画像データを表示する場合には、オーダ画面４０において、登録画像取得ボタンＸに指等を接触させることにより、図７に示すインデックス画面５０が新たに表示され、このインデックス画面５０において表示対象となるイベントを指定することで登録画像データを取得して、オーダ画面４０に表示することが可能となる（＃１０５、＃１０６ステップ）。
【００４５】
この登録画像データを取得する処理は画像データ取得処理部２４が実現する。つまり、インデックス画面５０では、撮影日表示領域５１と、この撮影日を変更する変更ボタン５２と、イベントの一覧を表示する表示領域５３と、イベントの一覧をスクロールするスクロールボタン５４と、ＯＫボタン５５とキャンセルボタン５６とが表示される。
【００４６】
デジタルカメラで撮影に使用された半導体型メディアＭｓから画像データを取り込んだ場合には（＃１０１ステップでの処理）、画像データのファイルにＥｘｉｆ（Exchangeable Image File Formatの略）形式で撮影日時情報が保存されている。これを利用してインデックス画面５０の撮影日表示領域５１には、画像データにＥｘｉｆ形式で保存されている撮影日時情報に基づいて、撮影日が表示される。
【００４７】
また、撮影日表示領域５１に表示されている日時がイベントの日時と異なる場合には、変更ボタン５２に指等を接触させて操作することにより、入力画面（図示せず）が新たに表示され、この入力画面を介して適正な撮影日の入力が可能となる。
【００４８】
表示領域５３には、撮影日表示領域５１に表示された撮影日に催されたイベントの一覧が表示される。イベントは、この受付装置Ａで先に出力処理を行ったユーザが、出力を行った画像データのうち他のユーザの使用を許すものを登録したものである（この登録については後述する）。
【００４９】
同図に示すように、例えば、運動会等のイベントのタイトルに指等を接触することでイベントが指定される。複数のイベントが存在する場合には、全てを指定することも可能である。また、スクロールボタン５４に指等を接触させることにより、表示領域５３に表示し切れないイベントの表示ができる。そして、イベントのタイトルを指定した状態でＯＫボタン５５に指等を接触することによってイベントの指定が完了し、イベントに含まれる登録画像データが取得され、オーダ画面４０の表示部４１に追加して表示される。
【００５０】
また、オーダ画面４０の表示部４１に表示されている画像データ（登録画像データも含む）に指等を接触させて選択した状態において、補正・編集ボタンＹに指等を接触させて操作することにより、処理画面が表示され補正又は編集が可能となる（＃１０７、＃１０８ステップ）。
【００５１】
この補正又は編集は、補正・編集処理部２７が実現する。つまり、補正・編集ボタンＹを操作することによって処理画面（図示せず）が表示される。補正を行う場合には、色補正、濃度補正、コントラストの補正、あるいは、これらの補正を自動的に行う自動補正等の処理が実現する。また、編集を行う場合にはトリミングや合成等の処理が実現する。
【００５２】
このように、プリント対象とする画像データの指定、プリント枚数の指定、必要な場合には補正等を行うことによりオーダ情報を取得し、この取得を終了する際には、図６に示すＯＫボタン４９に指等を接触させて操作を行うことにより、課金処理が実行される（＃１０９、＃１１０ステップ）。
【００５３】
課金処理では、プリントサイズやプリント枚数等のオーダ情報に基づいて料金が算出され、ディスプレイ７に表示される。この表示に基づいてユーザが料金精算ユニットのコインメック１１、ビルバリ１２に対して料金を投入した後には、支払った料金がレシートプリンタ４でレシートｒｅにプリントされ排出される。この後、プリントの出力処理が開始される（＃１１１ステップ）。
【００５４】
このプリント出力が開始された後には、図８に示す登録案内画面６０が表示され、この登録案内画面６０での案内に同意した場合には、登録処理が実行される（＃１１２、＃２００ステップ）。
【００５５】
登録案内画面６０は画像データ登録処理部２６が表示する。つまり、登録案内画面６０は、画像データの登録が可能であり、登録した場合には、一定期間（例えば、１ケ月）だけ他のユーザが自由にプリントできることを案内するメッセージが表示され、登録ボタン６１と、非登録ボタン６２とが表示される。
【００５６】
登録処理（＃２００ステップ）はサブルーチンとしてセットされ、その概要を図４のフローチャートのように示すことが可能である。この登録処理は画像データ登録処理部２６が実現する。
【００５７】
つまり、図９に示すインデックス設定画面７０をディスプレイ７に新たに表示し、インデックス情報を取得する。次に、図１１に示す登録指定画面８０を表示して指定された画像データの特定情報を取得する。次に、図１２に示す登録確認画面９０を表示して指定された画像データを表示する。そして、この登録確認画面９０においてユーザが確認した後に、指定された画像データにインデックス情報を与えて登録処理を行う（＃２０１〜＃２０５ステップ）。
【００５８】
具体的に説明すると、登録案内画面６０の非登録ボタン６２に指等を接触させて操作した場合には登録は行われない。これとは逆に登録ボタン６１に指等を接触させて操作した場合には、図９に示すインデックス設定画面７０が表示される。このインデックス設定画面７０には、撮影日設定領域７１と、この撮影日を変更する変更ボタン７２と、イベントを設定するように複数のイベントボタン７３と、ＯＫボタン７４とキャンセルボタン７５とが表示される。
【００５９】
このインデックス設定画面７０の撮影日設定領域７１には自動的に撮影日が設定される。つまり、デジタルカメラで撮影に使用された半導体型メディアＭｓから画像データを取得した場合には（＃１０１ステップでの処理）、画像データのファイルにＥｘｉｆ形式で保存されている撮影日時情報に基づいて撮影日が設定される。
【００６０】
また、撮影日設定領域７１に表示されている日時がイベントの日時と異なる場合には、変更ボタン７２に指等を接触させて操作することにより、入力画面（図示せず）が新たに表示され、この入力画面を介して適正な撮影日の入力が可能となる。
【００６１】
また、複数のイベントボタン７３の何れかに指等を接触させる操作が行われた場合には、操作されたイベントボタン７３に対応するイベントが設定される。特に、図９に示すように、「運動会」のイベントボタン７３が操作された場合には、更に、複数の学校名がメニュー７３Ａに表示され、この表示から対応する学校名を設定できる。これと同様に、「祭」のイベントボタン７３が操作された場合にもメニューが表示され、「祭」の名称や、「祭」が行われた場所を設定できる。
【００６２】
尚、このメニューに表示される学校名や「祭」の名称などは、このプリントシステムが設置された地域に存在する学校名や祭りの名称を予め登録しておくことになる。メニュー７３Ａから設定した小学校名７３Ｂは、図１０に示す如くイベントボタン７３の近傍に表示される。
【００６３】
そして、ＯＫボタン７４に指等を接触させて操作することにより、設定されたインデックス情報が取得される（＃２０１ステップ）。
【００６４】
このようにインデックス情報が取得されると、次に、図１１に示す登録指定画面８０が新たに表示される。この登録指定画面８０には、登録指定領域８１と、スクロールボタン８２と、ＯＫボタン８３と、キャンセルボタン８４とが表示される。
【００６５】
この登録指定画面８０の登録指定領域８１には、＃１０１ステップで取得した全ての画像データが表示され、表示された画像データに指等を接触させることにより指定状態となる。尚、初期状態では全ての画像データは非指定状態にあり、図面に示す如く「×」が表示され、指を接触させることにより「×」が消去され、指定状態となる。このような処理によりユーザはプライベートな画像データを除外して登録できる。
【００６６】
登録指定画面８０において、ユーザが画像データの指定を行った後に、ＯＫボタン８３に指等を接触させて操作することにより、指定された各画像データを特定する特定情報が取得される（＃２０２ステップ）。
【００６７】
このように特定情報が取得された後、図１２に示す登録確認画面９０が表示される。この登録確認画面９０には、登録確認領域９１と、スクロールボタン９２と、ＯＫボタン９３と、戻るボタン９４とが表示される。
【００６８】
この登録確認画面９０の登録確認領域９１に表示された画像データをユーザが確認して不適正である場合には戻るボタン９４に指等を接触させて操作することで登録指定画面８０が表示され、この登録指定画面８０での再指定が可能となる。また、適正であれば、ＯＫボタン９３に指等を接触させて操作することで指定した画像データにインデックス情報を与えてハードディスクＨＤに保存する形態での登録が行われる。（＃２０３〜＃２０５ステップ）。
【００６９】
特に、画像データを登録したユーザが、パスワードを入力することで登録した登録画像データの一部や全ての削除を実現するように処理形態を設定しても良い。また、このパスワード等の認証情報をレシートｒｅにプリントするように処理形態を設定しても良い。
【００７０】
〔本発明の概念〕
このように本発明のプリントシステムでは、例えば、ユーザがデジタルカメラで撮影に使用した半導体型メディアＭｓを半導体ドライブ２にセットし、画像データをプリントペーパＰにプリントする場合でも、ＣＤ−Ｒ等のメディアに記録する場合でも、ユーザが持参した半導体型メディアＭｓに記録されていた画像データだけを出力対象とするものではなく、既に登録されている登録画像データを出力対象に含めることができる。これにより、例えば、プリント出力を考えると、撮影し切れなかった多様な被写体や、同じタイミングで異なる方向から撮影したもののプリントが可能になる。
【００７１】
また、ユーザが画像データの出力を行った際に、その画像データの一部でも登録画像データとして登録できるので、受付装置を管理する者がイベントの画像データを登録する手間を掛けずに済む。
【００７２】
従って、ユーザは運動会等のイベントの画像データを出力する際には、同じ運動会等のイベントについて他のユーザが撮影した画像データも併せて出力することが可能となり、同じ被写体を異なる方向から撮影した画像データや、撮影していないタイミングの画像データを取得してプリントすることや、ＣＤ−Ｒ等のメディアに記録できる。また、プリントシステムを設置しているＤＰ店等では、プリント枚数の増大に繋がり、売り上げ増を図ることができる。
【００７３】
〔別実施形態〕
本発明は、上記した実施の形態以外に以下のように構成しても良い。
【００７４】
（ａ）例えば、イベントとして結婚式、誕生会、同窓会のように比較的限られたユーザがプリントを行うものについては、登録画像データを取得する際にパスワードの入力を求めて、ユーザの認証を行うように処理形態を設定しても良い。つまり、イベントに関係する者にだけパスワードを伝え、画像データを出力するための受付装置の所在をイベントの関係する者に伝えておくことにより、イベントにおいてデジタルカメラ等で撮影した画像データを関係者だけで共有する形態で出力することが可能となる。
【００７５】
（ｂ）ユーザが画像データの登録を行うことは、ユーザの善意に基づくものであるため、画像データの登録が望めないことも多い。受付装置を設置しているＤＰ店等ではプリント枚数を増すために、画像データの登録を行ったユーザについては、出力料金の割引を行うように課金処理の処理形態を設定しても良い。これにより、画像データの登録数を増大させ、結果として他のユーザの出力数を増大させて、売り上げを増すことができる。
【００７６】
（ｃ）出力部として、銀塩印画紙にプリントを行う写真プリント装置を受付装置に通信ケーブルを介して接続しても良い。
【００７７】
１店舗に複数の受付装置Ａを備えている状況では、複数の受付装置Ａを通信回線で接続し、登録画像データを複数の受付装置Ａで共有するように処理形態を設定する。これにより、何れの受付装置Ａにおいて画像データを登録した場合でも、登録画像データを他の受付装置Ａにおいて出力できるものとなる。
【００７８】
（ｄ）出力処理として、インターネット等の通信手段を介してプリント処理を行うことや、通信手段を介して個人のコンピュータに画像データの転送を行っても良い。
【図面の簡単な説明】
【００７９】
【図１】受付装置を備えたプリントシステムを示す斜視図
【図２】プリントシステムのブロック回路図
【図３】出力処理ルーチンのフローチャート
【図４】登録処理のフローチャート
【図５】オーダ画面を示す図
【図６】最終ページのオーダ画面を示す図
【図７】インデックス画面を示す図
【図８】登録案内画面を示す図
【図９】インデックス設定画面を示す図
【図１０】学校名のメニューを示す図
【図１１】登録指定画面を示す図
【図１２】登録確認画面を示す図
【符号の説明】
【００８０】
７            ディスプレイ
２４          画像データ取得処理部
２６          画像データ登録処理部
Ｂ            出力部・プリント部
【図１】
2009130594.tif 000003
【図２】
2009130594.tif 000004
【図３】
2009130594.tif 000005
【図４】
2009130594.tif 000006
【図５】
2009130594.tif 000007
【図６】
2009130594.tif 000008
【図７】
2009130594.tif 000009
【図８】
2009130594.tif 000010
【図９】
2009130594.tif 000011
【図１０】
2009130594.tif 000012
【図１１】
2009130594.tif 000013
【図１２】
2009130594.tif 000014